(57)【要約】  本発明は、製品に割り当てられた隠された安全コードを用いて、偽造防止と製品の確認をする方法およびシステムに関する。
2014521162.tif 000002
【特許請求の範囲】
【請求項１】
製品１に割り当てられた隠された安全コード３を使って、偽造防止および製品１の確認をする方法であって、次の各方法ステップにおいて、
ａ）製品１について一義的な隠された安全コード３が該製品１またはその包装に配置され、一義的な該隠された安全コード３は、サービス運営者に関連するサーバ上の製品データバンクにおいてデータセットに割り当てられ、該データセットにはすでに一義的な製品識別子も割り当てられており、
ｂ）前記隠された安全コード３が最初の照会者により露出されて前記製品データバンクに送られ、
ｃ）その隠された安全コード３がすでに以前に照会されたことがあるかどうかを判定するために、確認が前記製品データバンクで実行され、
ｄ）前記最初の照会者に少なくとも前記ステップｃ）の確認の結果が送られ、該確認の日付が前記データバンクの前記データセットに割り当てられ、
ｅ）前記ステップｂ）で露出された前記隠された安全コード３が以後の照会者により前記データバンクに送られ、
ｆ）露出された前記隠された安全コード３が初めて照会されたのはいつであるかの情報が前記以後の照会者に少なくとも送られ、以後の照会の日付が前記データバンクの前記データセットに割り当てられる
方法。
【請求項２】
別のコード５が前記製品１またはその包装に配置され、特に前記製品１の製造者は前記製品データバンクを含むサーバへのアクセス権を有しておらず、前記隠された安全コード３はその他のいかなる経路でも前記製品１の前記製造者に伝送されないことを特徴とする、請求項１に記載の方法。
【請求項３】
前記安全コード３および／または前記別のコード５と一緒に最初の照会の日付および特に照会履歴が暗号化され、少なくとも部分的に監督機関に伝送されることを特徴とする、請求項１または２のいずれか１項に記載の方法。
【請求項４】
前記最初の照会者による照会がなされたとき、および／または前記以後の照会者による照会がなされたとき、その照会者に送られる情報は前記別のコード５を含んでおり、特に前記安全コード３を含んでいないことを特徴とする、請求項２または３のいずれか１項に記載の方法。
【請求項５】
前記安全コード３および／または場合により前記別のコード５は、前記製品１またはその包装において別個のラベル７またはステッカーに配置され、この別個のラベル７または別個のステッカーは、特に非破壊式に、剥がしたり貼りつけてから再び露出させることができないことを特徴とする、請求項１から４のいずれか１項に記載の方法。
【請求項６】
前記以後の照会者による照会がなされたとき、少なくとも１つの以前の照会について、特に複数もしくは全部の以前の照会について、製品の種類、場所、および／または時点の群から選択された情報が前記以後の照会者に伝えられることを特徴とする、請求項１から５のいずれか１項に記載の方法。
【請求項７】
前記最初の照会者による照会がなされたとき、および／または前記以後の照会者による照会がなされたとき、その照会者の位置が判定されて前記データバンクの前記データセットに割り当てられることを特徴とする、請求項１から６のいずれか１項に記載の方法。
【請求項８】
前記最初の照会者による照会がなされたとき、および／または前記以後の照会者による照会がなされたとき、その照会者のユーザ識別子が判定されて前記データバンクの前記データセットに割り当てられることを特徴とする、請求項１から７のいずれか１項に記載の方法。
【請求項９】
前記サービス運営者は、前記安全コード３および／または場合により前記別のコード５を前記別個のラベル７またはステッカーに配置することを特徴とする、請求項５から８のいずれか１項に記載の方法。
【請求項１０】
製品１に割り当てられた隠された安全コード３を用いて偽造防止と該製品１の確認をするシステムにおいて、該システムは１つまたは複数のコンピュータにインストールされており、次の各モジュールを含んでおり、すなわち、
ａ）照会者の照会を受け付ける照会モジュールと、
ｂ）送られてきた照会値をデータバンクに保存されている前記安全コード３と比較する判定モジュールと、
ｃ）少なくとも次の情報、すなわち、
ｉ）前記安全コード３の最初の照会のケースについては、前記安全コード３が初めて照会されたこと、または、
ｉｉ）前記安全コード３がすでに以前に照会されているケースについては、少なくとも前記最初の照会の時点
を前記照会者に送る出力モジュールと
を含んでいるシステム。
【発明の詳細な説明】
【技術分野】
【０００１】
本発明は、製品に割り当てられた隠された安全コードによって偽造防止と製品の確認をする方法およびシステムに関する。
【背景技術】
【０００２】
たとえばアルコール飲料の場合、飲食店によってアルコール飲料入りのビンが購入され、それが消費された後、自家で製造したアルコール飲料がそのまま充填されてしまうという問題がある。それが末端顧客に提供されて、中毒が発生することも稀ではない。さらに、そのようにして当該国の財務官庁、およびそれに伴って納税者は租税を偽られることになる。
【０００３】
さらに別の問題は、特定の製品を生産するよう委託を受けた企業が、合意されて契約で定められた数よりも多く生産をして、契約で定められた量の製品だけを納入し、その後、余った製品を自分の手で販売するという点にある。
【発明の概要】
【発明が解決しようとする課題】
【０００４】
したがって本発明の課題は、こうした欠点を取り除くことができ、たとえばアルコール飲料のような偽造製品を飲食店によってばかりでなく、商品および特にアルコール飲料の最終消費者によっても認識することができる方法およびシステムを提供することにある。
【課題を解決するための手段】
【０００５】
本発明の根底にある課題は、第１の実施形態においては、製品に割り当てられた隠された安全コードによって偽造防止と製品の確認をする方法およびシステムによって解決され、次の各方法ステップを有している。
ａ）製品について一義的な隠された安全コードが製品またはその包装に配置され、一義的な隠された安全コードが製品データバンクにおいてサービス運営者のサーバでデータセットに割り当てられ、該データセットにはすでに一義的な製品識別子も割り当てられており、
ｂ）隠された安全コードが最初の照会者により露出されて製品データバンクに送られ、
ｃ）製品データバンクでその隠された安全コードがすでに以前に照会されたことがあるかどうかが確認され、
ｄ）最初の照会者に少なくともステップｃ）の確認の結果が送られ、確認の日付がデータバンクのデータセットに割り当てられ、
ｅ）ステップｂ）で露出された隠された安全コードが以後の照会者によりデータバンクに送られ、
ｆ）露出された隠された安全コードが初めて照会されたのはいつであるかについての情報が以後の照会者に少なくとも送られ、以後の照会の日付がデータバンクのデータセットに割り当てられる。
【０００６】
本発明の意味における製品について一義的な隠された安全コードとは、同一種類の製品のいかなる他の製品にも割り当てられていない隠された安全コードのことをいう。
【０００７】
本発明の意味における製品識別子は、たとえばＥＡＮ番号や製品型式の記号のような一義的な番号であってよい。
【０００８】
本発明による方法は、たとえばアルコール飲料の入ったビンが最初にデータバンクで照会されたのがいつであるかを、以後の照会者としての最終消費者が容易に見出すことができるという顕著な利点を有している。最初にデータバンクに照会をしたと推測されるのは、隠された安全コードを露出させることに気づいた飲食店または最初の最終消費者である。照会の結果、たとえばアルコール飲料の入ったビンのような製品が初めて照会されたのがたとえば１年前であることを知った、以後の照会者としての最終消費者は、そのビンがおそらくあらためて充填されたものであると考えることができる。
【０００９】
本発明による方法のさらに別の利点は、隠された安全コードが現実にデータバンクに存在しているかどうかを、最初の照会者が見出すことができるという点にある。つまり、隠された安全コードがデータバンクに存在していなければ、それは確実に偽造品である。露出した安全コードに帰属するデータセットが、照会されたとしてデータバンクにすでにマークされていることを、安全コードを露出させた最初の照会者が知ったとき、この照会者は、手元にあるその製品が偽造品であるか、または、少なくとも１つの別の製品が偽造品として出回っていると推定することができる。
【００１０】
データバンクはサービス運営者により集中的に運営され、分散的に構成されるのではないのが好ましい。このことは、取扱いの難しい安全性関連のデータが、たとえば単一の計算センターでのみ相応に保存されなければならないという利点がある。
【００１１】
隠された安全コードの覆いは、たとえばこすって剥がせる欄、貼りつけた紙、切り取り線のある覆い、たとえば薄紙や厚紙からなる切り取り線のある被覆、ステッカー、食料品や飲料品の容器のキャップの群から選択され得る。覆いはビンのキャップであるのが特別に好ましく、それにより、ビンのキャップおよび特にビンのねじ込み栓によって安全コードが隠される。このことは、たとえばビンの販売前に、店内で安全コードを露出させて照会することができないという利点がある。たとえばねじ込み栓のねじ山の一部が切り欠かれており、そこに安全コードを設けることができる。
【００１２】
本発明による方法は、製品の技術的な機能性が本方法によって制約されないという特徴を有しているのが好ましい。このことは、その製品を引き続き使用もしくは利用するかどうかを、照会者が自分自身で決めることができるという利点がある。これは、本発明による方法は、まず第１に消費者保護に資するものだからである。
【００１３】
安全コードは、英数字記号の列、数字列、アルファベットの列、数字とアルファベットの組み合わせの列、バーコード、一次元のコード、二次元のコード、三次元のコード、ホログラム、および／または点字の群から選択することができる。安全コードが追加的に点字で設けられていてもよい。
【００１４】
隠された安全コードは、照会者によって露出された後、ＳＭＳ、電話、写真、インターネット、郵便、Ｅメール、および／またはファックスの群から選択される、さまざまな伝送の技術的手段を用いて送ることができる。たとえば安全コードは、携帯電話にインストールされているモバイルアプリケーションで写真を撮影して伝送することができる。このような態様は、特に照会者からデータバンクへ伝送をするときに、たとえば暗号化によって方法全体の安全性を確実に構成することができるという決定的な利点がある。別案として、たとえば携帯電話を用いて安全コードを写真撮影してから、Ｅメールにより伝送することもできる。
【００１５】
ステップｄ）では、およびこれとは関わりなくステップｆ）では、照会者の所在地、これまでの照会の回数、照会の全履歴、照会の日付、照会の時間、照会者のユーザ識別子、および／または製品型式の群から選択された少なくとも１つまたは複数の情報が製造者に送られるのが好ましい。それにより製造者は、どの場所でどれだけの数の偽造品が出回っていると予想されるかを、特別に容易に見出すことができる。これは、従来の技術的な解決法では可能でなかったことである。
【００１６】
ステップｄ）および／またはこれに関わりなくステップｆ）では、安全コードをデータバンクのデータセットと照合したときに一致が見出されなかった場合、照会の考えられる結果として、安全コードがデータバンクに存在していないことを示す情報が照会者にも伝えられるのが好ましい。このことは従来の技術的な解決法においては、制度の完全性の欠如を推測させることになるという理由から、不都合であるとして採用されてこなかった。しかし、これまでに考慮の対象になっていないと思われる利点は、照会した製品が非常に高い蓋然性で事実上確実に偽造品であることを照会者が知ることができるという点にある。
【００１７】
ステップｄ）では、ステップｃ）に基づく確認の結果として、安全コードがデータバンクに存在していないこと、または安全コードが初めて照会されたこと、または安全コードがすでに以前に照会されていること示す情報が、最初の照会者に伝えられるのが好ましい。さらに、たとえば製品型式なども最初の照会者に通知することができる。
【００１８】
その代替または追加として、隠された安全コードが認定証や証明書に記載されていてもよい。
【００１９】
対応する安全コードのデータセットとデータバンクで組み合わされた別のコードが製品または包装に配置されるのが好ましく、製品の製造者は、製品データバンクを含むサーバへのアクセス権を有しておらず、隠された安全コードも製品の製造者にいかなる経路でも伝送されないのが特別に好ましい。このことは、安全コードを必ずしも製造者とやり取りしなくてよく、それにもかかわらず製造者は、安全コードをデータバンクの別のコードと組み合わせることによって、本発明による方法を利用することができるという決定的な利点を有している。別のコードと対応する安全コードは、たとえば、別のコードと一緒に製品または製品の包装に配置される安全コードである。この構成要件の決定的な利点は、委託を受けた以上に特定の製品を製造し、引き続いてこの「余剰製品」を自分自身で市場に出そうとする委託を受けた企業が、本発明による方法を回避する手段を持たなくなることにある。
【００２０】
別のコードは、隠されていても隠されていなくても構わない。それには関わりなく、別のコードはシリアルナンバー、英数字記号の列、数字列、アルファベットの列、数字とアルファベットの組み合わせの列、バーコード、一次元のコード、二次元のコード、三次元のコード、ホログラム、および／または点字の群から選択される。別のコードが追加的に点字で設けられていてもよい。安全コードおよび／または別のコードの長さは、少なくとも１０個の記号であるのが好ましい。そうしないと、第三者によって偶然に入力されてしまうかもしれないという危険があるからである。
【００２１】
隠された安全コードと別のコードの間には、特に直接的な数学上の観点からだけでなく、たとえば暗号化アルゴリズムのようなアルゴリズムを通じても、いかなる技術的な相互作用またはその他の関連性もないのが好ましい。従来の解決法では、このような関連性は利点があると考えられていた。しかしこのような関連性は、委託された企業が別のコードを参照して、安全コードを演繹して導き出すことができるという決定的な欠点をもたらす。すなわち、安全コードを成功裏に推測することができるいかなる手段も、委託された企業には存在しないという点に利点がある。
【００２２】
本発明による方法は、別のコードが製造者により技術的に作成され、サービス運営者に伝送されて、データバンクで安全コードに割り当てられるという特徴を備えているのが好ましい。このことは、製造者が生産数を独立して決めることができ、サービス運営者による別のコードの割当に拘束されることがないという決定的な利点を有している。
【００２３】
安全コードおよび／または別のコードと一緒に、最初の照会の日付および特別に好ましくは照会履歴が有利に暗号化されて、少なくとも部分的に監督機関に伝送されるのが好ましい。この監督機関は国家の官庁であり得る。たとえばこれは財務省であってよい。このことは、租税に関連する製品を国家によってより良く監督することができ、脱税を非常に容易に発見することができるという決定的な利点がある。
【００２４】
たとえば、本発明による方法においては、隠された安全コードは、サービス運営者によって生成することができ、または、上記の監督機関により生成してサービス運営者に送ることができる。隠された安全コードが本発明による方法においてサービス運営者により生成される場合には、これを監督機関にも送ることができる。
【００２５】
データバンクに照会がなされたとき、安全コードがデータバンクに含まれていないことが判明したケースについては、たとえば本発明による方法では、この確認結果を監督機関に伝送することができる。それには関わりなく、データバンクに照会がなされたとき、安全コードがすでに以前に照会されていたケースについては、その情報を監督機関に伝送することもできる。
【００２６】
最初の照会者による照会がなされたとき、および／または以後の照会者による照会がなされたとき、照会者に送られる情報は別のコードを含んでおり、特に安全コードを含んでいないのが好ましい。それにより、照会者がデータバンクに安全コードを伝送したことに対する応答によって照会者に別のコードが通知されることで、真正性が証明される。このことは、本発明による方法の安全性を著しく向上させる。偽造者は隠された安全コードを推測しなければならないだけでなく、この隠された安全コードに割り当てられた別のコードも推測しなければならないからである。照会者への別のコードの伝送は、ＳＭＳ、電話、写真、インターネット、郵便、Ｅメール、および／またはファックスの群から選択される、さまざまな伝送の技術的手段を用いて行われるのが好ましい。照会者への別のコードの伝送は、照会者からデータバンクへの安全コードの伝送と同じ技術的手段によって行われるのが特別に好ましい。
【００２７】
安全コードおよび／または場合により別のコードは、製品またはその包装の別個のラベルもしくはステッカーに配置されているのが好ましい。このような別個のラベルまたは別個のステッカーは、非破壊式に剥がしたり、貼りつけてから再び露出させることができないのが特別に好ましい。このような観点から、特に、ステッカーまたはラベルはアウトバーンのような料金支払義務のある道路の通行券と同じように構成することができる。
【００２８】
以後の照会者による照会がなされている間、少なくとも１つの以前の照会について、特に以前の複数の照会または全部の照会について、製品の種類、場所、日付、および／または時点の群から選択された情報が照会者に送られるのが好ましい。それにより以後の照会者は、その製品が偽造品であるかどうかを特別に容易に判断することができる。該当する具体的な安全コードについて、照会の履歴の一部または全部が送られるのが特別に好ましい。たとえば、最初の照会以後に、その安全コードが何度照会されているかを示す情報が照会者に伝えられる。
【００２９】
安全コードがデータバンクに存在しておらず、またはすでに以前に照会されていることが、照会者に結果として通知されるケースについては、たとえばその製品が海賊品であるのかどうか、あるいは、たとえばアルコール飲料で再充填されたビンであるのかの説明を求めるのに使うことができる電話番号を、照会者に指定することができる。本発明による方法については、この目的のためにコールセンターを設置することができる。
【００３０】
最初の照会者による照会がなされている間、および／または以後の照会者による照会がなされている間、照会者の位置が判定されてデータバンクのデータセットに割り当てられるのが好ましい。照会者の位置のこのような判定は、たとえばＧＰＳ、ＩＰアドレスの地理位置情報によって、または照会者の携帯電話の無線セルの位置を突き止めることによって行うことができる。このことは、海賊行為ないし偽造行為の場所を容易に判定し、たとえば製造者や監督機関に通知することができるという利点がある。
【００３１】
最初の照会者による照会がなされている間、および／または以後の照会者による照会がなされている間、照会者のユーザ識別子が判定されてデータバンクのデータセットに割り当てられるのが好ましい。このようなユーザ識別子は、たとえば照会者の電話番号、照会者のＩＰアドレス、ソーシャルネットワークやウェブサイトあるいはソフトウェアアプリケーションにおける照会者のユーザ名、またはこれらのユーザ識別子の組み合わせであり得る。
【００３２】
サービス運営者は、安全コードおよび／または場合により別のコードを別個のラベルまたはステッカーに配置するのが好ましい。サービス運営者は、たとえば相応に印刷がなされたラベルまたはステッカーを製作する。そうすれば、少なくとも安全コードを製造者に伝送する必要がなくなる。そのようにして、取扱いの難しい情報が漏れることが、製造者や第三者において起こり得ない。このようなラベルまたはステッカーは、引き続いてたとえば製造者に送付され、製造者がこれをたとえば製品や包装に配置することができる。
【００３３】
悪戯を防止するために、照会者それぞれの照会の頻度を、１時間および１つの安全コードにつき１回の照会に制限してもよい。これに加えて、照会者１人あたりの照会の頻度を、伝送の技術的手段ごとに１時間につき５０回の照会に制限することができる。さらに、安全コードおよび場合により別のコードが連続番号として生成されるのではないことが意図されていてもよい。たとえば１つの電話番号またはＩＰアドレスからの連続する２回の照会の最短の時間的間隔も、システムの濫用を防ぐために、少なくとも３０秒に制限することができる。
【００３４】
本発明に基づく製品またはその包装は、飲料ビンであるのが好ましい。本発明による方法は、そのために特別に好ましいことが判明している。すなわちその場合、たとえば隠された安全コードをねじ込み栓のねじ山に、またはねじ山の切欠きに配置することができる。それによって小売店で販売される以前には、通常、安全コードを露出させることができない。
【００３５】
本発明による方法の照会者にとっての魅力を高めるために、照会されたコードで抽選を行うことができる。さらにステッカーないしラベルに、たとえばサッカークラブなどのスポンサーの宣伝用印刷のように、宣伝用印刷を付すことができる。
【００３６】
さらに別の実施形態では、本発明の根底にある課題は、製品に割り当てられた隠された安全コードを用いて偽造防止と製品の確認をするシステムによって解決され、該システムは１つまたは複数のコンピュータにインストールされており、次の各モジュールを含んでいる。
ａ）照会者の照会を受け付ける照会モジュール
ｂ）送られてきた照会値をデータバンクに保存されている安全コードと比較する判定モジュール
ｃ）少なくとも次の情報を照会者に送る出力モジュール：
ｉ）安全コードの最初の照会のケースについて：安全コードが初めて照会されたこと、または、
ｉｉ）安全コードがすでに以前に照会されているケースについて：少なくとも最初の照会の時点。
【００３７】
照会モジュールは、たとえば通常の手段でＳＭＳを読み取ることができるようになっている、電話網と組み合わされたコンピュータ上のソフトウェアである。つまりこの照会モジュールは、照会者から送信されたＳＭＳメッセージを受信し、送られてきた安全コードをメッセージから通常の手段で抽出する。
【００３８】
判定モジュールは、たとえば照会モジュールを用いて判定された安全コードをデータバンクで探すことができ、対応するデータセットを発見できた場合には、そのデータセットに帰属するデータフィールドをその値とともに判定するソフトウェアである。
【００３９】
出力モジュールは、たとえば通常の手段でＳＭＳを書き込むことができるようになっている、電話網と組み合わされたコンピュータ上のソフトウェアである。出力モジュールは、照会モジュールと同一のコンピュータにインストールすることができる。その場合、出力モジュールはデータセットのデータフィールドの判定された値を照会者にＳＭＳで送信する。
【００４０】
送られてきた照会値が、中枢の記憶装置にあるどの安全コードとも一致しないケースについては、安全コードが製品に割り当てられていないという情報、または安全コードが有効ではないということを示す情報が出力モジュールで送られるのが好ましい。
【００４１】
製品について一義的な安全コードを生起し、それにより該コードを隠して製品またはその包装に取り付けることができるようにし、この一義的な安全コードを中枢の記憶装置で製品の一義的な識別に割り当てるコード付与モジュールも、本発明によるシステムに設けられているのが好ましい。
【００４２】
図面によって本発明が図解されている。当然ながら、各図面は一例の実施形態としての役目を果たすにすぎず、特許請求の範囲の保護範囲を限定するものではない。
【図面の簡単な説明】
【００４３】
（記載なし）
【発明を実施するための形態】
【００４４】
図１は、ラベルが貼られたアルコール飲料のビンを示しており、ラベルの下側部分にあるこすって剥がす欄の下に隠された安全コードと、ラベルの上側部分にある目に見える別のコードとを見ることができる。
【００４５】
財務省のような監督機関、またはサービス運営者は、たとえば５０００種類の安全コードを作成し、これを財務省が場合によりサービス運営者に伝送する。これに対応するデータセットがデータバンクで作成される。それには関わりなくアルコール飲料の製造者は、アルコール飲料の入った５０００本のビンを製造する。すなわち製造者は、連続しない５０００種類のシリアルナンバーを生成し、これを同じくサービス運営者に送る。サービス運営者はこれらのシリアルナンバーをデータセットで安全コードと組み合わせ、たとえば「Ｙｅｎｉ  Ｒａｋｉ  Ｔｅｋｅｌ，４５．０％  Ｖｏｌ．，０．７０  Ｌｉｔｅｒｓ」のような製品型式に関する情報を、それぞれのデータセットへ追加して入れる。次いでサービス運営者は、別のコードとしてのシリアルナンバーが見えるように記載されるとともに、対応する安全コードがこすって剥がす欄の下に追加的に記載された５０００枚のラベルを製作する。これらのラベルが製造者に送付され、製造者によってビンに貼られる。このようなビンが図１に掲げられている。
【００４６】
図２は、上側部分では図１に掲げるラベルを近接撮影で示すとともに、下側部分では、こすって剥がす欄で安全コードが露出した後の同じラベルを示している。
【００４７】
製造者は５０００本のビンをたとえば卸売業者に納入し、または小売店に直接納入する。そして飲食店の購入者は購入後、たとえば安全コードを露出させサービス運営者にこの安全コードを照会することによって、そのビンが正規品であるかどうかを確認することができる。
【００４８】
図３には、たとえば飲食店の購入者によるこのような最初の照会が、一例として示されている。
【００４９】
購入者は、露出した安全コードをたとえばＳＭＳを使ってサービス運営者へ、およびこれに伴ってデータバンクへ転送する。データバンクでは、送られてきた安全コードがデータバンクに存在するかどうか、場合によりすでに以前に照会がなされているかどうかを判定するために確認が行われる。
【００５０】
安全コードをデータバンクで見つけることができた場合、データバンクでは、電話番号、無線セルによってほぼ特定される購入者の場所、照会の日付と時刻などが、このデータセットに保存される。
【００５１】
理想的な場合、購入者は、安全コードが照会されたのが初めてであり、したがってそのビンはオリジナル製品であるという回答を、ＳＭＳを通じて受けとる。これに加えて購入者は情報としてシリアルナンバーを受けとり、ビンに記載されたシリアルナンバーとこれを照合することができる。
【００５２】
安全コードをデータバンクで見つけることができなかった場合、購入者は、その安全コードが無効であり偽造品であることを、ＳＭＳを通じて通知される。
【００５３】
安全コードがデータバンクですでに以前に少なくとも１度照会されている場合、購入者は、その安全コードがすでに以前に照会されたことがあることを、ＳＭＳを通じて通知され、以前の照会の日付と時刻ならびに製品型式が通知される。これに加えて購入者はシリアルナンバーを情報として受けとり、ビンのシリアルナンバーとこれを照合することができる。これらの情報は、購入者の所在地や購入者の電話番号も含めて、製造者およびたとえば財務省に伝えられる。このようにして製造者および財務省は、誰がどこで特定の製品の偽造品を見つけたのかを判定することができる。
【００５４】
そしてアルコール飲料の入ったビンは飲食店で１ヵ月以内に消費され、たとえば法律に反してあらためて飲食店により充填される。すると飲食店の任意の客は、図４に模式的に示すように、露出している安全コードを同じくサービス運営者およびこれに伴ってデータバンクへＳＭＳを通じて送り、たとえばその安全コードが直近の１ヵ月以内にすでに２５回照会されており、最初に照会がなされたのはちょうど１ヵ月前であるということを示す情報を回答として受けとる。この情報は、客の所在地や客の電話番号とともに、製造者およびたとえば財務省へ送られる。このようにして製造者および財務省は、誰がどこで特定の製品の偽造を見つけたのかを判定することができる。客は送られてきた情報から、そのビンが法律に反してあらためて充填されたものであると推測することができ、それに応じて飲料を飲まないと決めることができる。製造者は送られてきた情報により、製品の偽造品がどこから出回っているのか、場合によりどのような販売経路を通じてその偽造品が市場に出ているのかを、比較的容易に見出すことができる。財務省には、場合により偽造された製品によって租税がどこで未払いになっているかを見出すという利点がある。
【符号の説明】
【００５５】
１  製品、たとえばアルコール飲料の入ったビン
３  隠された安全コード
５  別のコード、たとえばシリアルナンバー
７  ラベル
【図１】
2014521162.tif 000003
【図２】
2014521162.tif 000004
【図３】
2014521162.tif 000005
【図４】
2014521162.tif 000006
【国際調査報告】
2014521162.tif 000007
2014521162.tif 000008
2014521162.tif 000009
2014521162.tif 000010